(57)【要約】【課題】  家畜糞等の堆肥化のため、各酪、畜産農家にとって簡易で理想的な、装置コストが格安で手間が掛からず、おが屑等の副資材を用いずに確実に生糞の調湿が可能な、かつ、良質の堆肥の得られる連続脱水式調湿装置の提供を目的とする。【解決手段】  ほぼ水平方向に設置されて本体胴部基部にホッパーの充填投入口６を設け、所定巾と所定網目のエンドレス濾布駆動回転式ベルトコンベヤー１Ａに生糞を所定肉厚積載可能に、かつ、テール側濾布面の上方向に堆積、兼、排出用の搬送および攪拌羽根内蔵のダクト２１Ａを配置して前後方向からの流入空気遮断可能に設け、かつ、中間胴部に積載濾布通過可能な脱水機構１９を上部に吸記口１５付き天板１３、下部上面に多孔板１６を配した吸引ボックス１９を上下一体の半密封状に、かつ、送風機１８等を用いて連続吸引脱水可能に形成し、かつ、脱水排液回収可能に構成されている。【選択図】図１
2005058984.tif 000002
【特許請求の範囲】
【請求項１】
家畜生糞等の水分率調整（以下調湿と言う）のため、所定巾の、且つ、所定網目の布又は鋼索網等からなる濾過帯（以下濾布と言う）駆動回転式ベルトコンベヤー本体をほぼ水平方向に設置し、ホッパー等接続の該基部投入口の進行方向側送入口構造を走行濾布上に所定空隙を設けて所定肉厚積載可能に設け、且つ、前後接続する中間胴部に、走行濾布積載物上部に吸気口付き天板を配し、且つ、該側部接続の前記濾布裏面に接する、多孔板又は配列ローラー等を上面に用いた吸引ボックスを一体に設け、且つ、送風機等を用いて下部吸引可能な脱水機構を形成し、且つ、前記本体テール側走行濾布面上部方向に排出用ダクトを前記積載物底部堆積可能に配置して前記脱水機構の入出口、及び、側部流入空気をほぼ遮断して連続脱水可能に形成したことを特徴とし、且つ、前記ダクト内に搬送手段を設けて上部排出可能に、且つ、前記脱水排液回収処理可能に構成された脱水装置。
【請求項２】
請求項１記載の、本体基部投入口が所定肉厚積載可能に形成されて流入空気が遮断され、且つ、中間胴部に側部密封の吸引式脱水機構の設けられた濾布駆動回転式ベルトコンベヤーに於いて、前記脱水機構先端部に軟質シート等を用いて前記走行積載濾布上面に載置して前記吸引力による密接触可能な手段を講じて前記脱水機構出口部の流入空気をほぼ遮断可能に設けて連続脱水可能に形成し、且つ、前記本体テール部先端外部に、搬送手段内蔵の上部排出可能なダクトを所定勾配に設けて配置し、且つ、前記脱水機構の脱水排液回収処理可能に構成された脱水装置。
【請求項３】
前記濾布駆動回転式脱水装置に於ける、送風機等を用いて形成された連続吸引式脱水機構回収の排液を、該吸引パイプを噴射可能に同時切り替え配管して加圧噴射洗浄機構を形成し、前記濾布がリターン走行中間部で噴射洗浄可能に構成された請求項１又は２記載の脱水装置。
【請求項４】
前記濾布駆動回転式脱水装置に於ける、送風機の用いられた吸引式脱水機構回収排液投入用の、微生物生息の自然石が内部に配置され、且つ、所定入出時間滞流可能に設けて併設された浄化槽に、前記送風機から同時配管してエアレーション可能に組み合わせて構成されたことを特徴とする請求項１又は２記載の脱水装置。
【請求項５】
前記濾布駆動回転式脱水装置投入口付随のホッパー内壁面に、可撓性耐圧気密シートを複層に用いて空気封入可能なエアーバッグを上下固定装着可能に形成し、且つ、前記複層シート複数箇所を縦方向に接合して複数の独立気室、若しくは、該各室内部にインナーバッグを配してそれぞれを間欠式、又は、定圧のインフレート可能にエアー配管施工して前記ホッパー内部を投入物付着防止可能に形成し、且つ、前記投入口に常時投入物充填可能に組み合わせ構成された請求項１又は２記載の脱水装置。
【発明の詳細な説明】
【技術分野】
【０００１】  主に、半粘性体高含水分物質の家畜生糞等の堆肥化の為の調湿用脱水装置に関する。
【背景技術】
【０００２】  従来、特に、牛糞等の家畜生糞に於ける堆肥化は各酪農家が野外で野積みして天日で乾燥し、或いは、おが屑や、籾殻または切り藁等の調湿材を攪拌機で混合して適正水分率と目される６５パーセント前後に調湿をし、これを堆肥舎内の装置で繰り返しの攪拌により、又は、通気性容器に投入して熟成させる等の方法があった。しかし、本発明の如き、畜舎からの家畜糞をホッパーつきの特殊ベルトコンベヤー装置に直接投入して中間同部の脱水機構部を通過させるだけで、しかも調湿用副資材やエネルギーを用いずに連続調湿可能な機能を持ち、かつ、発酵を促進して堆肥化が可能な簡易な装置は無く、かつ、従来技術では生糞脱水時排出の汚濁排汁の微粒固形分子を同時除去することが全く困難であった。
【発明の開示】
【発明が解決しようとする課題】
【０００３】  環境問題対策の為定められた基準頭数以上飼育の場合の家畜糞処理に関し、各酪農家又は畜産家が各自発生もとで、簡易に発酵して堆肥化が可能なシステムを確立するため、その中で最も重要で難易度の高い生糞の水分調整を、おが屑等の購入コストがかかり、副作用の多い調湿材を用いることなく、低コストで手間不要の、かつ、確実に調湿して堆肥化可能な簡易脱水装置の提供を課題とし、かつ、この装置単体で汚濁微粒固形分子を分離して脱水排液を回収することを目的としている。
【課題を解決するための手段】
【０００４】  本発明の脱水装置は、主に、半粘性体で高水分率の家畜糞堆肥化の為の前記課題を解決するため、バーンクリーナー等によって畜舎から排出される家畜生糞の一定量をそのままホッパーに受け入れて、かつ、脱水機構の組み込まれた所定巾の、所定網目のエンドレス濾布駆動回転式ベルトコンベヤー装置単体で調湿を行おうとするもので、この本体胴部を水平に設置して基部投入口内の送入口部をテーパーに設け、かつ、走行濾布上に所定空隙を設けて生糞を均一の所定肉厚に積載可能に送入し、かつ、前後接続する中間胴部の脱水機構を、前記テーパー送入口部に連なる天板を走行方向中間部に中空部を設けて流量調整可能な吸気口を設け、この天板側部が接続する下部長手方向に、走行濾布裏面が接する多孔板等を上面に用いて一体の、かつ、送風機等を用いて連続吸引可能な面状脱水機構を形成し、かつ、この脱水機構終点位置のテール部走行濾布面上にほぼ垂直方向の排出用のダクトを所定高に設け、内部に螺旋および攪拌羽根を配置して上端部排出口から排出可能に設け、かつ、前記脱水機構で抽出された脱水排液を回収皿を用いて下部受け槽に回収可能に構成している。このように構成された本発明の脱水装置は、脱水機構がホッパーの投入口で充填された生糞と、テール側のダクトの底部に堆積した脱水糞によって入出口および側部からの流入空気が封じられ、かつ、上部の天板によって周囲が半密封状に設けられているため、脱水機構の多孔板上を送入口部で所定厚に延ばされた積載濾布が走行中に内部水分を濾布の網目から下方に吸引する時、天板中空部の吸気口から絞られて吸入されるエアの効果により脱水効率を高めることを可能にしている。従って、本発明は、所定網目の濾布等と吸引手段を組み合わせ構成することによって従来の加圧縮式の生糞脱水手法では困難であった汚濁排汁の微粒固形分子をこの本装置単体で濾過して固液分離を可能にすると同時に、脱水排液がほぼ半透明の、かつ、比較的低レベルのＰＰＭ濃度で回収可能な為に、この排液の事後措置を大変容易とすることが出来、かつ、脱水糞内の肥料成分を損なうことなく原状維持することが出来る。かつ、前記テール部のほぼ垂直方向のダクトに送りこまれた脱水糞は底部に堆積して流入空気の気密性を確保した後、螺旋羽根と断続羽根等を用いて上部排出口より空気を含ませながら排出可能に形成している。尚、投入口と濾布、テール側ダクト下部と濾布とのそれぞれの隙間はゴム板のシール部材、又は、スクレーパー、或いは、ブラシ等を用いてシール可能に形成し、かつ、テール側の残存濾布付着分はリターン中間点で洗浄することが出来る、尚、投入口の送入部にローラーを用いて積載濾布上に生糞を均一の所定厚に積載することも出来る。また、天板に所定の開口部を設けて一定の効果を得ることも出来る。又、濾布の破損、若しくは、疲労交換の場合はエンドレス接合された所定のスペアー濾布を交換可能な構造とすることが出来る。尚、本装置は若干の勾配を設けて設置することも出来る。
従って、本発明の脱水装置は以上の如く構成されているため、おが屑や籾殻等の副資材を一切用いずに畜糞が調湿され、かつ、熟成して堆肥化が可能なため副資材の購入コストが不要で、かつ、これを混合投入する労力やその為の設備および熟成スペースが少なく、或いは、エネルギーをも必要としない大変効率的な脱水装置と言えるものである。かつ、副資材による土壌内での阻害要因や虫の発生する心配なく、かつ、牛糞の場合、これに含まれるカリ分が脱水時に排出されるため大変良質の堆肥が得られる。かつ、処理過程に於ける特別な臭の発生する事もない。【０００５】  又、前記濾過帯は可撓性のスチール網製ベルトを用い、この場合、脱水機構内のスチール網ベルト裏面接触部にローラーを配列して面状の吸引ボックスを設けることも出来る。【０００６】  又、本発明は本体基部投入口に充填した生糞を所定肉厚積載可能に形成した前記濾布駆動回転式コンベヤーベルトの中間胴部脱水機構の天板上面端部の、走行濾布積載物上面全巾に所定長の軟質ゴム又は樹脂シートを端部固定して載置し、かつ、下部多孔板端部に所定長の平板を延長して側部立ち上げ形成し、脱水機構の吸引力によってシートを積載物上面に密接触可能に設けて脱水機構の出口部及び周囲流入空気をほぼ遮断可能に形成することが出来る。尚、この場合、本体テール側先端外部に、上部に排出口を設けて螺旋羽根と攪拌羽根内蔵のダクトを上部方向の所定角度に設けて配置し、かつ、積載物をリターン時に落下させ、かつ、濾布残存付着物をスクレーバー又はブラシ等を用いて除去し、かつ、上記同様脱水機構の脱水排液を回収処理可能に形成することが出来る。【０００７】  又、本発明は、前記の如き濾布駆動回転式脱水装置に於いて、送風機等を用いて脱水機構内の吸引パイプで吸引された排液を利用してこれを噴射パイプに同時切り替え配管して加圧噴射可能に設け、濾布がリターンして下部走行の中間部裏面に噴射洗浄を行い、生糞積載と吸引時の濾布の目詰まりの除去を可能にしている。尚、回収された排液の不足する場合には、送風機の空気圧を用いて目詰まり防止の併行手段とすることが出来る。【０００８】  又、本発明は、前記の如き濾布駆動回転式脱水装置に於いて、送風機等を用いて脱水機構に吸引回収された排液を、併設された、内部に微生物生息の自然石配置の、かつ、所定時間滞流可能な容積に設けられた浄化槽内に投入し、この浄化槽内に前記送風機から同時配管形成してエアレーション可能に構成することも出来る。【０００９】  又、本発明は、前記の如き濾布駆動回転式脱水装置に於いて、ホッパーを主に平面角形、又は、ほぼ角形に設けて、この内部壁面に可撓性の気密性シートを複層に用いた口部付きの空気封入可能なエアーバッグを装着可能に形成し、かつ、各コーナー両脇部の縦方向に上下シートを接合して複数の独立気室を形成し、かつ、この各独立気室口部にエアー配管を講じて間欠式、若しくは、定圧エアー供給して各壁面、及び、コーナー部がインフレートして確実に生糞の付着防止を図り、かつ、投入口に投入物を常時充填可能に形成することが出来る。又は、図示しないが前記面状のエアーバッグ内にインナーバッグを用いてインフレートすることも出来、かつ、内部表面にプロテ��ターを装着することも出来る。
【発明の効果】
【００１０】  上記の如く本発明の脱水装置は、主に、牛糞等の堆肥化システムの中で最も重要な水分率調整を野積み無しで連続吸引式に設けて、且つ、モーターのスウィッチを押すだけで調湿を可能とし、且つ、設備費が極めて安く、設置スペースも僅かで、かつ、メインテナンスも容易に構成され、かつ、脱水排液が微粒固形分子を分離した状態で回収されるため、この排液処理を極めて容易にすることが出来る。【００１１】  また、おが屑等の調湿用副資材が不要のため、その調達コスト及びこれを投入したり混合するための装置や手間が不要で、かつ、増量されることの無い大変効率的な脱水装置と言えるもので、かつ、副資材による土壌内でのカビや虫の発生の心配又は作物の発芽を阻害する不安がなく、更には、内部のカリ分が脱水時に排出されて成分バランスのとれた大変良質の堆肥を得ることが出来る。かつ、処理過程に於ける特別な臭の発生もない。【００１２】  各絡農家が低コストで、かつ、発生もとでの堆肥化可能な為、全国の自治体等による共同設備設置義務問題の解決を図ることが出来る。
【発明を実施するための最良の形態】
【００１３】  以下、本発明の実施の形態を図１〜図７によって説明する。
【実施例１】
【００１４】  本発明の、特に牛生糞等の半粘性体高含水物質の堆肥化のための調湿用脱水装置１Ａを図面で説明すると、図１及び図２及び図４に示す通り、畜舎からバンクリーナー等２によって搬出された家畜生糞３の一定量をホッパー４に受け入れて基部５投入口６に充填し、エンドレス成形された所定巾の、かつ、所定網目の濾布等の可撓性濾過帯７が駆動回転するベルトコンベヤー本体８を水平方向に設置し、この生糞投入口内の進行側送入口９をテーパー状Ｄに設け、この下部の走行濾布７上に所定の空隙１０を設けて生糞３の自重と走行する濾布６の摩擦力によって所定肉厚に引き込み送入して積載し、かつ、この時生糞３自身で投入口６からの流入空気を遮断可能に設け、かつ、前後に接続する中間胴部１１に、濾布積載物１２の上面に、送入口９に連なる天板１３を中間に中空部１４を設けて流量調整可能な吸気口１５付きに配し、この側部長手方向に接続し、走行濾布７裏面が接する下部上面に多孔板１６、又は、メッシュ材等を用いた面状の吸引ボックス１７を一体に設け、かつ、送風機１８等を用いて下部吸引式の連続脱水機構１９を形成し、かつ、この脱水機構終点位置のテール側２０濾布７面上にほぼ垂直方向所定高の排出用ダクト２１Ａを設けて積載物１２を底部２２に堆積させて脱水機構１９の入出口部１９ａ、１９ｂおよび側部１９ｃからの流入空気をほぼ遮断可能に形成し、かつ、このダクト２１Ａに送りこまれて底部２２に堆積した脱水糞は螺旋羽根２３と断続攪拌羽根２４により脱水された生糞に空気を含ませて上部に搬送されて排出口２５から排出されるように構成されている。更に、吸引ボックス１７内に吸引抽出された脱水排液２６を回収皿２７を設けて下部受け槽２８に回収して処理可能に構成している。
以上の如く形成された本発明の脱水装置１Ａは、ホッパー４に受け入れた生糞３をこの装置単体で脱水して調湿を可能とするもので投入口６に充填投入されて５乃至１０ミリメートルの板状に延ばされた生糞が送風機１８等を用いて吸引機能をもった面状の脱水機構１９内を通過中に内部水分を濾布７の網目から下方に連続的に吸引脱水されるよう形成され、この時、脱水機構１９内の走行積載濾布前後１９ａ、１９ｂおよび側部１９ｃからの流入空気が遮断されているため、天板１３に設けられた吸気口１５からの適量に絞られた吸入エアーが濾布積載物１２上面部に効果的に働いて脱水効果を高めることを可能にしている。尚、投入口６の進入側２９にはゴム板等のシール部材３０Ａで逆流出を防止し、かつ、テール側２０の積載物１２はダクト２１Ａ下部隙間をエンドプレート３１とゴム板３０Ｂ等を用いて塞ぎ、かつ、堆積糞自身をスクレーパーとして流出防止を図ることが出来る。尚、濾布残存付着物はリターン中間点で洗浄機構３２を講じてこれを除去することが出来る。尚、図示しないが、投入口６部にローラー方式、或いは、圧送入補助手段を用いて生糞を所定の肉厚に送入することも可能である。従って、本発明の脱水装置が以上の如く構成されているため、生糞の水分率の調湿は濾布積載物１２の走行速度と吸引ボックス１７の送風機１８の強弱及び吸気口１５の流量調整等によってコントロールすることが出来るが送入口９の空隙１０を調整可能に設けるとなお良い。かつ、図示していないが天板の中空部１４に所定の開口部を設けて一定の効果を得ることも出来る。尚、脱水機構１９前後からの微量の空気流入は差し支えない。また、回転プーリー３３はフランジ３３ａ付きに設けて荷こぼれ防止を図ることが望ましい。尚、濾布の破損又は疲労交換の場合はエンドレス接合された所定のスペアー濾布を交換可能な構造となっている。また、本装置は本体胴部を若干の勾配を設けて設置することも出来る。
このように、本発明は所定網目の濾布７と吸引式脱水機構１９の組み合わせ効果によって既存の加圧縮式の脱水技術では困難であった生糞中の微粒固形分子を分離してほぼ半透明状の、かつ、低ＰＰＭ濃度の脱水排液の回収を可能とすることが出来るためこの後処理を極めて容易に出来るメリットがあり、遂に本装置単体での脱水を可能とするものである。と同時に、前記の如く生糞内の微粒固形分子が排出されないため、逆に、堆肥成分の原状維持を図ることが出来る。【００１５】  又、図示しないが前記脱水装置の濾過帯７は、可撓性ロープ等からなる所定網目のスチールベルトを用いることも出来る。この場合、スチールベルト走行の裏面接触面にローラーを配列して吸引式連続脱水機構を形成することが出来る。
【実施例２】
【００１６】  尚、本発明は図３の如く、脱水装置１Ｂを、基部投入口６に生糞３を充填投入して所定肉厚に送入し、かつ、流入空気遮断可能な構造に設けられた請求項１記載の濾布駆動回転式ベルトコンベヤーを、接続する中間胴部１１形成の脱水機構１９の天板１３先端部に所定長のゴム、又は、樹脂等の気密性軟質シート３４端部を固定して走行濾布積載物１２の上面全巾に載置し、下部吸引ボックスの多孔板１６に平板３５を延長して側部３５ａを所定高に立ち上げ形成し、吸引ボックス１７の吸引力によりシート３４が走行積載物１２の上面に連続的に密接触してテール側２０の脱水機構出口１９ａの流入空気の遮断を図ることが出来る。尚、この場合、排出用ダクト２１Ｂはテール側濾布リターンの先端外部に螺旋２３および攪拌羽根２４を内蔵してこれを所定角度Ｂに配置し、かつ、上部に排出口２５を設けて脱水された生糞を攪拌しながら排出可能に形成することが出来る。なお、テール部の脱水糞は濾布７リターン時及びスクレーパー３６によりダクト２１Ｂ基部に落下すると同時に、残存濾布付着分は上記同様濾布リターン走行中間点の洗浄機構３２で洗浄することが出来る。かつ、脱水機構１９で吸引抽出された脱水排液２６を回収皿２７を用いて下部受け槽２８に回収処理可能に構成している。尚、図示しないが前記積載物１２上面密接触可能な手段を、硬質板を全巾の所定長に用いてヒンジ機構を設けて形成することも出来る。かつ、前記濾布は上記の如くスチール製濾過ベルトを用い、かつ、吸引ボックス１７上面にローラーを配列して形成することも出来る。
又、図示しないが本体胴部を若干の勾配を設けて設置し、排出用ダクトを垂直方向、若しくは、水平方向に配置することも出来る。
【実施例３】
【００１７】  又、本発明の第３の実施例として図４の如く、濾布駆動回転式脱水装置１Ａ又は１Ｂの送風機１８を用いた脱水機構１９の吸引パイプ３７で回収された排液２６を送風機１８で噴射パイプ３８に切り替え圧送して加圧噴射可能な洗浄機構３２を形成し、濾布７がテール側２０プーリー３３でリターンして下部走行中の濾布裏面に噴射洗浄して目詰まり防止対策可能に形成することが出来る。尚、回収される排液２６の不足する場合にも圧送空気を用いて洗浄と目詰まり防止の併行手段とすることが出来る。
【実施例４】
【００１８】  又、本発明は、第４の実施態様として図５、及び、図６の如く、前記脱水装置１Ａ又は１Ｂに於いて、送風機１８を用いて吸引ボックス１７に回収された脱水排液２６を、微生物の生息する自然石３９を内部に用いた浄化槽２８を併設し、これを、排液２６がほぼ日量分受け入れ可能な、かつ、入出時において所定時間滞流可能な容積と仕切り板４０構造に設け、かつ、この浄化槽２８内に送風機１８から同時配管４１してエアレーション可能に形成し、前記濾布駆動回転式脱水装置１Ａ又は１Ｂと同時形成することも出来る。尚、図示しないが、もとより、送風機１８を独立配置することも出来る。
【実施例５】
【００１９】  又、本発明は図７の如く、前記脱水装置１Ａ又は１Ｂに於ける主に平面角形、又は、ほぼ角形のホッパー４内壁面に、気密性耐圧軟質シート４２Ａ、４２Ｂを複層に用いて面状のエアーバッグ４３を口部４３ａを設けて空気封入可能に、かつ、各コーナー部４４両脇縦方向に上下シート４２Ａ、４２Ｂを接合して独立気室４５を設けて装着し、このエアーバッグ４３の各気室４５に配管４６を施して間欠式にエアーを供給してホッパー４の各内壁面、及び、コーナー部が繰返しインフレートされて生糞３の付着防止を可能とし、これを濾布駆動回転式の脱水装置１Ａ、１Ｂと組み合わせて投入口６への常時充填を可能に四、かつ、投入口からの流入空気の遮断を図ろうとするものである。或いは、図示しないが前記エアーバッグ気室４５内にインナーバッグを用いてインフレートすることも出来る。或いは、前記エアーバッグ又はインナーバッグに予めエアーを定圧供給可能に設けてインフレートさせておき、投入された生糞３に絶えず下方から押上力が働く様に形成することも出来る。かつ、図示しないが内部表面にプロテクターを用いることも出来る。尚、もとよりホッパー４形状は丸形も可能であるが全高との関係で角形又はほぼ角形とすることが望ましい。
【図面の簡単な説明】
【００２０】
【図１】本発明の実施例１の濾布駆動回転式ベルトコンベヤー式脱水装置の正面全体図で該本体部分を断面で示す
【図２】同上Ａ−Ａ矢視を示す
【図３】本発明の実施例２の脱水機構先端部の積載濾布上面に密接触手段を講じて流入空気遮断可能に設けたことを示す正面部分断面構成図
【図４】図３におけるＢ−Ｂ矢視を示し、脱水排液をリターンベルトに噴射洗浄可能な洗浄機構を設けた様子を示す正面断面構成図
【図５】上記脱水装置に併設の浄化槽正面及び一部断面図で図６と共に排液吸引用送風機から同時配管してエアレーション可能に形成したことを示す
【図６】図５のＣ−Ｃ矢視を示す
【図７】ホッパー内壁にエアーバッグが装着された様子を示す正面断面構成図で片側にインフレートした様子を示す
【符号の説明】
【００２１】１Ａ  本発明の流入空気テール堆積遮断式の濾布駆動回転式脱水装置
１Ｂ  同上流入空気を脱水機構出口密接触遮断式とする濾布駆動回転式脱水装置
２  排出装置                  ３  生糞                  ４  ホッパー
５  本体基部                  ６  投入口                ７  可撓性濾過帯又は濾布
８  本体                      ９  送入口              １０  空隙
１１  中間胴部              １２  積載物              １３  天板
１４  中空部                １５  流量調整可能な吸気口  １６  多孔板
１７  吸引ボックス          １８  送風機              １９  脱水機構
１９ａ  同入口部            １９ｂ  同出口部          １９ｃ  同側部
２０  テール側              ２１Ａ  テール部濾布面上の排出用ダクト
２１Ｂ  テール部先端外部の排出用ダクト    ２２  底部    ２３  螺旋羽根
２４  攪拌羽根              ２５  排出口              ２６  排液
２７  回収皿                ２８  受け槽又は浄化槽    ２９  進入側
３０Ａ  同シール部材        ３０Ｂ  出側シール部材    ３１  エンドプレート
３２  洗浄機構              ３３  プーリー            ３３ａ  同フランジ
３３ｂ  同軸                ３４  気密性軟質シート    ３５  平板
３５ａ  同側部立ち上げ部    ３６  スクレーパー        ３７  吸引パイプ
３８  噴射パイプ            ３９  微生物生息の自然石  ４０  仕切り板
４１  エアレーション用配管４２Ａ、４２Ｂ  上下シート  ４３  エアーバッグ
４３ａ  同口部              ４４  コーナー部          ４５  独立気室
４６  エアー配管            ４７  駆動部              ４８  外部フレーム
４９  キャスター            ５０  ストレーナー        ５１  ボルトナット
５２  当て板                ５３  トラツク            ５４  メツシュバッグ
５５  ジョイント            ５６  ホース              ５７  上部フランジ
Ａ  テーパー部        Ｂ  所定角度
【図１】
2005058984.tif 000003
【図２】
2005058984.tif 000004
【図３】
2005058984.tif 000005
【図４】
2005058984.tif 000006
【図５】
2005058984.tif 000007
【図６】
2005058984.tif 000008
【図７】
2005058984.tif 000009